(57)【要約】【課題】パッキンによって防水機能を発揮しつつ、筐体の肉厚が薄い携帯電子装置を提供する。【解決手段】携帯電話機１は、開口部１１ａ及び開口部１１ａに隣接するスリット部１１ｂが形成されたリアケース１１と、開口部１１ａに対向してリアケース１１内に配設されるスイッチ１５と、開口部１１ａとスイッチ１５との間に配置され、前記スイッチを押下可能な台座部３３又はシート部２９と、スリット部１１ｂにリアケース１１内から圧入されるパッキン部３１とを有するキーシート２７とを有する。【選択図】図５
2010108749.tif 000002
【特許請求の範囲】
【請求項１】
開口部及び前記開口部に隣接するスリット部が形成された筐体と、
前記開口部に対向して前記筐体内に配設されるスイッチと、
前記開口部とスイッチとの間に配置され、前記スイッチを押下可能な閉塞部と、前記スリット部に前記筐体内から圧入されるパッキン部とを有する弾性部材と、
を有する携帯電子装置。
【請求項２】
前記スリット部を前記筐体の外部から閉塞するプレート部材を有する請求項１に記載の携帯電子装置。
【請求項３】
前記プレート部材は外観を構成する化粧板である請求項２に記載の携帯電子装置。
【請求項４】
前記弾性部材の前記閉塞部と前記パッキン部との間の部分が前記筐体の内部側の面に当接される、請求項１から３いずれか１項に記載の携帯電子装置。
【請求項５】
前記筐体内部に配設され、前記弾性部材に光を照射する光照射部材を有し、
前記弾性部材は導光性を有する
請求項１から４いずれか１項に記載の携帯電子装置。
【請求項６】
開口部と前記開口部を囲む溝が形成された筐体と、
前記開口部を閉塞する閉塞部と、前記溝部に圧入されるパッキン部とを有する閉塞部材と、
を有し、前記溝の少なくとも一部は貫通穴となっている携帯電子装置。
【発明の詳細な説明】
【技術分野】
【０００１】
本発明は携帯電話、ＰＤＡ、携帯型ゲーム、携帯用テレビ、携帯用ラジオ等の
携帯電子装置に関する。
【背景技術】
【０００２】
携帯電子装置の筐体内部への水分の侵入を抑制するためにパッキンを用いる技術が知られている（例えば特許文献１）。また、開口部と、開口部を囲む溝部とを有するケースに対して、開口部を塞ぐ閉塞部と、当該閉塞部の外周に沿って延びるパッキン部とを有する閉塞部材を取り付ける技術が知られている。この技術では、パッキン部が溝に圧入されることにより、閉塞部材がケースに取り付けられるとともに、開口部からの水分の侵入が抑制される。
【特許文献１】特開２００６−３４４５２８号公報
【発明の開示】
【発明が解決しようとする課題】
【０００３】
このパッキン部が圧入される溝を筐体に作成すると、溝の深さ分と溝の底の部分の厚さ分を足したものが筐体の肉厚となる。そして、この溝は開口部のまわりを取り囲んでいるのであるから、筐体は、広い範囲にわたって肉厚が大きくなってしまう。その結果、筐体の小型化若しくは筐体の内部空間の確保が困難となる。
【０００４】
本発明の目的は、防水機能を発揮しつつ、筐体の肉厚が薄い携帯電子装置を提供することにある。
【課題を解決するための手段】
【０００５】
本発明の第１の観点の携帯電子装置は、開口部及び前記開口部に隣接するスリット部が形成された筐体と、前記開口部に対向して前記筐体内に配設されるスイッチと、前記開口部とスイッチとの間に配置され、前記スイッチを押下可能な閉塞部と、前記スリット部に前記筐体内から圧入されるパッキン部とを有する弾性部材とを有する。
【０００６】
好適には、本発明の第１の観点の携帯電子装置は前記スリット部を前記筐体の外部から閉塞するプレート部材を有する。
【０００７】
好適には、プレート部材は外観を構成する化粧板である。
【０００８】
好適には、弾性部材の前記閉塞部と前記パッキン部との間の部分が前記筐体の内部側の面に当接される。
【０００９】
好適には、本発明の第１の観点の携帯電子装置は、前記筐体内部に配設され、前記弾性部材に光を照射する光照射部材を有し、前記弾性部材は導光性を有する。
【００１０】
本発明の第２の観点の携帯電子装置は、開口部と前記開口部を囲む溝が形成された筐体と、前記開口部を閉塞する閉塞部と、前記溝部に圧入されるパッキン部とを有する閉塞部材と、を有し、前記溝の少なくとも一部は貫通穴となっている。
【発明の効果】
【００１１】
本発明によれば、防水機能を発揮しつつ、筐体の肉厚が薄い携帯電子装置を提供することができる。
【発明を実施するための最良の形態】
【００１２】
図１は、本発明の実施形態に係る携帯電話機１の外観を閉状態で示す斜視図である。
【００１３】
携帯電話機１は、いわゆる折り畳み式の携帯電話機１として構成されており、開状態と閉状態との間で互いに回動可能に連結された第１筐体３及び第２筐体５を有している。図１は、第１筐体３及び第２筐体５が重ね合わされる閉状態を示している。
【００１４】
第２筐体５の、第１筐体３とは反対側には、ユーザの押圧操作を受け付けるキー７及び所定の画像を表示する表示部９が設けられている。表示部９は、例えば、液晶表示装置や有機ＥＬ表示装置を含んで構成されている。
【００１５】
第２筐体５は、第１筐体３と対向する部分を構成する不図示のフロントケースと、第１筐体３とは反対側部分を構成するリアケース１１とを有している。フロントケース及びリアケース１１はネジ等により互いに固定され、フロントケース及びリアケース１１の間に形成された空間に種々の電子部品を収容する。フロントケース及びリアケース１１は、例えば、樹脂により形成されている。
【００１６】
図２（ａ）は、図１の第２筐体５のみの斜視図である。そして、図２（ｂ）はキー７や表示部９の各部材を取り除いた後のリアケース１１の斜視図である。
もっとも、本発明の範囲はリアケース１１のみに限定されるものではなく、携帯用電子装置を構成するケース・筐体であればそのすべてに応用可能である。
【００１７】
リアケース１１は開口部１１ａとこの開口部１１ａに隣接するスリット部１１ｂを有する。ここで、開口部１１ａの形状は正方形や長方形である必要はなく、キーの形状に応じて変更可能である。例えば、丸、台形、楕円、三角、５角形、６角形、星形等であってもよい。スリット部１１ｂの形状は、かならずしも一直線である必要はなく、直線で構成され途中で折れ曲がっていてもよいし、曲線で構成されていてもよい。例えば、Ｖ、Ｗ、Ωなど文字の形状をしていてもよいし、それ以外の何らかのマークであってもよい。
【００１８】
図２（ｂ）では、開口部１１ａのスリット部１１ｂ側の縁部の形状は直線形状であり、スリット部１１ｂの形状も同じく直線形状である。そして、開口部１１ａのスリット部１１ｂ側の縁部の形状と、スリット部１１ｂとの形状は平行形状を有している。しかし、必ずしも平行である必要はなくそれぞれ独立に任意の形状をとることもできる。
【００１９】
図３は、キー７や表示部９の各部材を取り除いた後の第２筐体５の図２のIII−III線における断面斜視図である。リアケース１１は凹み部分１１ｅを有しており、この凹み部分１１ｅには開口部１１ａやスリット部１１ｂが形成されている。この凹み部分１１ｅは、プレート部材２１、２３を実装後に、プレート部材表面と凹み部分１１ｅの周りのリアケース外部側表面との高さを同一にするために設けられている。
もっとも、プレート部材２１、２３を実装後にプレート部材表面と凹み部分１１ｅの周りのリアケース外部側表面との高さを同一にしなければならない必然性はなく、高さに差があってもよい。
【００２０】
リアケース１１は、凹み部分１１ｅの内部かつスリット部１１ｂの内側内部に溝内リアケース部１１ｄを有する。そして、この溝内リアケース部１１ｄはスリット部１１ｂ以外の部分（例えば、図６の有底溝部１１ｃの底部分２）で保持されている。
【００２１】
図４は、キー７や表示部９の各部材を実装した後の図１のIII−III線における断面斜視図である。
【００２２】
図５は図１のV−V線における断面を説明するために簡略化した図であり、図６は図１のVI−VI線における断面を説明のするために簡略化した図である。以下これらの図に基づいて説明する。
【００２３】
キー７は、リアケース１１に形成された開口部１１ａから露出されている。キー７のリアケース内部側には、リアケース１１の内側面に対向するように配置された回路基板１３と、回路基板１３に実装された押圧式のスイッチ１５とが設けられている。スイッチ１５は、例えば、固定接点１７と、ドーム状の板金により構成され、固定接点１７を覆う可動接点１９とを有している。可動接点１９は、リアケース外部側からキー７を介して押圧されると弾性変形していき、一定のところでドームの一部がへこむ。これによって、クリック感を生じつつ固定接点１７に当接する。
【００２４】
リアケース１１の凹み部分１１ｅの表面には、第１プレート部材２１及び第２プレート部材２３が配設される。第１プレート部材２１は、表示部９を構成する液晶表示装置等の不図示の表示装置の画面を保護する透光性の部材である。第１プレート部材２１は、例えば、樹脂により形成されている。第２プレート部材２３は、第１プレート部材２１と同様の材料により構成されている場合もあるが、必ずしも同一の素材である必要はない。第１プレート部材２１及び第２プレート部材２３は、例えば、リアケース１１に形成された凹み部分１１ｅに嵌合されるとともに接着剤や両面テープ等の固着部材によりリアケース１１に固定されている。
【００２５】
この第１プレート部材２１と第２プレート部材２３は、スリット部１１ｂに圧入されるパッキン部３１を保護する役割も有している。さらに、第１プレート部材２１と第２プレート部材２３は表面及び内面に様々な装飾を施し化粧板の役割も同時に果たすことができる。
【００２６】
キー７は、リアケース外部に露出するキートップ２５と、キートップ２５を支持するキーシート２７とを有している。
【００２７】
キートップ２５は、例えば樹脂により構成されている。キートップ２５の形状及び大きさは適宜に設定されてよい。キートップ２５とキーシート２７は、例えば、接着剤や両面テープ等の固着部材によって固定することもできるし、さらには、一体成型することも可能である。
【００２８】
キーシート２７は、ゴム等の水を透過させない弾性ある材料により構成されている。キーシート２７は、シート部２９と、シート部２９の周縁に形成されたパッキン部３１とを有している。シート部２９及びパッキン部３１の平面形状（リアケース外部側から見た形状）は、適宜に設定されてよいが、本実施形態では、矩形状に形成された場合を例示している。また、必ずしもキートップ２５は必要ではなく、キーシート２７のみであっても防水効果を発揮したうえでスイッチ１５を操作することは可能である。
【００２９】
シート部２９は、キートップ２５が固定される台座部３３と、スイッチ１５の可動接点１９に当接する押し子３５と、台座部３３を支持する延出部３７を有している。台座部３３は、シート部２９の中央側部分に形成され、シート部２９の外周部分（延出部３７）に対してリアケース外部側へ一段高くなっている。なお、台座部３３は、リアケース外部側においては凸となっているが、リアケース内部側においては凹となっている。押し子３５は、台座部３３のリアケース内部側の中央に設けられ、リアケース内部側へ突出している。
【００３０】
延出部３７は、リアケース１１の内部側の面に当接された状態で回路基板１３に支持され、台座部３３を回路基板１３から離間した状態で保持している。押し子３５は、可動接点１９の中央に当接している。キー７がリアケース外部側から押圧されると、台座部３３と延出部３７との間の傾斜部分が弾性変形して、台座部３３は回路基板１３側へ移動する。そして、押し子３５が可動接点１９の中央を押圧し、スイッチ１５はオンされる。
【００３１】
パッキン部３１は、延出部３７の外周縁に沿って延びるように形成されている。従って、パッキン部３１はリング状に形成されてシート部２９を囲んでいる。パッキン部３１は、延出部３７からリアケース１１の外部側へ突出している。
【００３２】
リアケース１１には、開口部１１ａの周りを取り囲んで溝部が形成される。溝部の平面形状（リアケース外部側から見た形状）は、パッキン部３１と概ね同様の形状となっている。また、この溝部は、リアケース１１を貫通する貫通穴状に形成されているスリット部１１ｂと、リアケース１１を貫通せず底部分２を有する有底溝部１１ｃとによって構成される。スリット部１１ｂはリアケースの凹み部分１１ｅに構成され、有底溝部１１ｃはリアケース１１の凹み部分１１ｅの外側部分に構成される（図５と図６を対比して参照のこと）。もっとも、スリット部１１ｂの位置は凹み部分１１ｅに限定されるものではなく、任意にその位置を設定できる。
【００３３】
キーシート２７は、パッキン部３１が有底溝部１１ｃ及びスリット部１１ｂに圧入されることにより、リアケース１１に取り付けられる。また、キーシート２７は、延出部３７がリアケース１１と回路基板１３とに挟持され、これによって開口部１１ａから侵入した水分がパッキン部３１にまで侵入することを防止する作用を有する。さらに、パッキン部３１は、シート部２９で防止できなかった水分の侵入を抑制する作用を有する。また、パッキン部３１は、有底溝部１１ｃ及びスリット部１１ｂからの水分の侵入も抑制する。
【００３４】
スリット部１１ｂ及びパッキン部３１は透光性を有する第１プレート部材２１及び第２プレート部材２３によってリアケース１１の外部側から覆われるので、スリット部１１ｂ及びパッキン部３１は外部から視認可能となる。そこで、スリット部１１ｂ及びパッキン部３１を表示装置又は装飾意匠として活用することができる。そして、スリット部１１ｂの構造は単なる一直線である必要はなく、直線で構成され途中で折れ曲がっていてもよいし、曲線で構成されていてもよいのであるから、より装飾意匠として活用の自由度が増す。
【００３５】
さらに、光照射部材３９（図４）がキーシート２７に光を照射できる任意の位置に配置され、キーシート２７は導光材料によって構成する。この導光材料とは単に透明又は半透明となっているのとは異なり、その一部に対して光が照射されれば導光材料内を光が反射して導光材料全体が光るものである。単なる透明又は半透明材料では、光を照射する光照射部材３９（図４）はスリット部１１ｂ及びパッキン部３１の直近にしか設けることができなかったものが、導光材料とすることによって、キーシート２７に光を照射できる場所であれば自由に光照射部材３９を設置できる。そのことは、リアケース１１内部に空間的余裕がない携帯用電子装置には有利である。
【００３６】
以上の実施形態によれば、携帯電話機１は、開口部１１ａ及び開口部１１ａに隣接するスリット部１１ｂが形成されたリアケース１１と、開口部１１ａに対向してリアケース１１内に配設されるスイッチ１５と、開口部１１ａとスイッチ１５との間に配置され、前記スイッチ１５を押下可能な台座部３３又はシート部２９と、スリット部１１ｂにリアケース１１内から圧入されるパッキン部３１とを有するキーシート２７とを有する。これによって、有底溝部１１ｃに比べてスリット部１１ｂのリアケース１１の厚さを薄くすることが可能となる。その結果、スイッチ１５周りの防水効果を維持しつつ、携帯電話機１を薄型小型化することができる。さらに、有底溝部１１ｃは溝内リアケース部１１ｄを保持できれば足りるのであるから、その範囲で自由にスリット部１１ｂの場所を選択することができ、リアケース１１内部で空間的に余裕のない部分に空間を作成することができる。
【００３７】
携帯電話機１はスリット部１１ｂをリアケース１１の外部から閉塞するプレート部材２１、２３を有する。これによって、スリット付近の防水効果及び強度の向上が図られる。
【００３８】
プレート部材２１、２３は携帯電話機１の外観を構成する化粧板である。これによって、キー７周りのデザイン性の向上が図られる。
【００３９】
キーシート２７の台座部３３とパッキン部３１との間の延出部３７がリアケース１１の内部側の面に当接される。これによって、スイッチ１５へ侵入する水に対する防水効果の向上が図れる。
【００４０】
リアケース１１内部に配設され、キーシート２７に光を照射する光照射部材３９を有し、キーシート２７は導光性を有する。これによって、スリット部１１ｂに圧入されるパッキン部３１が光ることから、パッキン部３１を表示装置や装飾装置として利用することが可能となり、イルミネーションとしても利用が可能となる。
【００４１】
リアケース１１内部に配設され、キーシート２７に光を照射する光照射部材３９を有し、キーシート２７は導光性を有する。これによって、キーシート２７の一部にだけ光を照射すれば足りるのであるから、光照射部材３９の設置の自由度が向上する。
【００４２】
シート部２９及びパッキン部３１は弾性のある部材により一体成形されており、開口部１１ａのケース内部側には、シート部２９によって押圧可能なスイッチ１５が設けられている。それによって、防水性に優れたキーをリアケース１１の任意の位置に設けることができる。
【００４３】
なお、以上の実施形態において、携帯電話機１は本発明の携帯電子装置の一例であり、リアケース１１は本発明の筐体の一例であり、台座部３３又はシート部２９は本発明の閉塞部の一例であり、キーシート２７は本発明の閉塞部材の一例である。延出部３７は弾性部材の閉塞部とパッキン部との間の部分の一例である。第２筐体５、又は、第１筐体３及び第２筐体５の組み合わせを本発明の筐体の一例として捉えてもよい。シート部２９のうち開口部１１ａに対向する部分である台座部３３のみ、又は、シート部２９及びキートップ２５の組み合わせを本発明の閉塞部と捉えてもよい。キーシート２７及びキートップ２５の組み合わせを本発明の閉塞部材と捉えてもよい。
【００４４】
本発明は、以上の実施形態に限定されず、種々の態様で実施されてよい。
【００４５】
携帯電子装置は、携帯電話機に限定されない。例えば、携帯電子装置は、ノートパソコン、ＰＤＡ、ゲーム機、カメラであってもよい。また、携帯電子装置のリアケースは、折り畳み式のものに限定されない。筐体は、一体的に構成されたもの（１つのみの筐体）であってもよいし、２以上の筐体が折り畳み式以外の方式（スライド式等）により相対移動可能に連結されたものであってもよい。
【００４６】
スリット部１１ｂはリアケース１１の凹み部分１１ｅ配置され、有底溝部１１ｃは凹み部分１１ｅの外側部分に配置される必然性はない。図７は本発明によるスリット部１１ｂと有底溝部１１ｃとの配置関係の変形例１を示す斜視図である。
【００４７】
本変形例１では、リアケース１１には凹み部分１１ｅは存在しないが、一部に溝内リアケース部１１ｄを保持するための底部分２を有する有底溝部１１ｃが構成される。そして、有底溝部１１ｃの底部分２がある部分のリアケース１１の厚みは厚くなるが、その他の部分は底部分２がないのでリアケース１１は厚くならない。この場合であっても、スリット部１１ｂと有底溝部１１ｃを配置してこの２つの溝にパッキン部３１を圧入することによって、スイッチ機能を有したうえで防水機能を満たすことができる。
【００４８】
つまり、溝内リアケース部１１ｄを保持可能な有底溝部１１ｃがあれば他の部分はすべてスリット部１１ｂとすることができる。これによって、底部分２を構成しなくてよい部分がより多くなるのであるから、リアケース１１の肉厚をより薄くして、第２筐体５を小型化することもできる。逆に、第２筐体５を小型化しない場合には、第２筐体５の内部空間をより広くとることもできる。また、有底溝部１１ｃを構成しなければならない部分を任意に選ぶことができるのであるから、リアケース１１の内部空間において特に空間を必要とする部分に、スリット部１１ｂを配置して、その部分の内部空間を広くとることも可能である。
【００４９】
さらに、閉塞部材はキーシート又はキーに限定されない。図８（ａ）は本発明による防水構造の変形例２を示す断面図である。
【００５０】
携帯電子装置１０１の筐体１０８は、フロントケース１１０と、フロントケース１１０に固定されたリアケース１１１と、リアケース１１１に着脱されるリッド１１２とを有している。リッド１１２は、リアケース１１１への着脱により、リアケース１１１に形成された開口部１１１ａを開閉する。開口部１１１ａは、バッテリー１１４を筐体１０８内部に装脱するためのものである。
【００５１】
図８（ｂ）は、図８（ａ）の領域ＶIIIｂの拡大図である。リッド１１２は、開口部１１１ａを塞ぐリッド本体１２９と、リッド本体１２９に接着されたパッキン部１３１とを有している。パッキン部１３１は、リッド本体１２９の外周に沿って延びている。リッド１１２は、開口部１１１ａを囲むように形成されたスリット部１１１ｂに、パッキン部１３１が圧入されることによりリアケース１１１に取り付けられる。なお、リッド１１２は、パッキン部１３１の圧入に加えて、係合部等によりリアケース１１１に取り付けられてもよい。
【００５２】
図８（ｃ）は、図８（ａ）の領域ＶIIIｃの拡大図である。図８（ｂ）と異なる点はパッキン部１３１が圧入されるのがスリット部１１１ｂではなく有底溝部１１１ｃである点である。有底溝部１１１ｃは溝内リアケース部１１１ｄ（図８（ｂ））を保持できる範囲であれば足りるので、スリット部１１１ｂの位置を自由に選択することができる。これによって底部分２の分だけ空間を得ることができ、リアケース内部で空間が必要な部分に底部分２の分だけ空間を提供できる。
【００５３】
リッド本体１２９は閉塞部の一例であり、リッド本体１２９とパッキン部１３１から構成されるリッド１１２は閉塞部材の一例である。
【００５４】
閉塞部材は、実施形態のキーシートのように、閉塞部とパッキン部とが一体成形されるものであってもよいし、図８の変形例のように、閉塞部とパッキン部とが別部材により形成されるものであってもよい。
【図面の簡単な説明】
【００５５】
【図１】本発明の実施形態の携帯電話機を閉状態で示す外観斜視図。
【図２】図１の第２筐体５のみの斜視図。
【図３】各部材を取り除いた後の図１のIII−III線における断面斜視図
【図４】各部材を実装した後の図２のIII−III線における断面斜視図
【図５】図１のV−V線における断面を説明のために簡略化した図。
【図６】図１のVI−VI線における断面を説明のために簡略化した図。
【図７】本発明のスリット部と有底溝部の位置関係を表した一例の図。
【図８】本発明の変形例に係る携帯電子装置の断面図。
【符号の説明】
【００５６】
１…携帯電話機（携帯電子装置）、２…底部分、１１…リアケース（リアケース）、１１ａ…開口部、１１ｂ…スリット部、１１ｃ…有底溝部、１１ｄ…溝内リアケース部、１１ｅ…凹み部分、２１…第１プレート部材、２３…第２プレート部材、２７…キーシート（閉塞部材）、２９…シート部（閉塞部）、３１…パッキン部、３７…延出部、３９…光照射部材。
【図１】
2010108749.tif 000003
【図２】
2010108749.tif 000004
【図３】
2010108749.tif 000005
【図４】
2010108749.tif 000006
【図５】
2010108749.tif 000007
【図６】
2010108749.tif 000008
【図７】
2010108749.tif 000009
【図８】
2010108749.tif 000010